(57)【要約】【課題】適切なサイズのチップはんだを基板に搭載することができる部品実装装置および部品実装方法ならびに部品実装ラインを提供することを目的とする。【解決手段】基板に部品（電子部品）を搭載する実装部１２と、チップはんだを供給するテープフィーダ８（部品供給手段）と、部品端子毎にチップはんだのサイズが教示された生産データ４２ａに基づいて、実装部１２がテープフィーダ８から供給されるチップはんだを基板に搭載するように制御する実装制御部４１（制御部）とを備えている。【選択図】図４
2016149384.tif 000002
【特許請求の範囲】
【請求項１】
基板に電子部品を搭載する実装部と、
チップはんだを供給する部品供給手段と、
部品端子毎にチップはんだのサイズが教示された生産データに基づいて、前記実装部が前記部品供給手段から供給されるチップはんだを搭載するように制御する制御部とを備えた部品実装装置。
【請求項２】
印刷機による印刷に使用されるマスクのマスク厚及び開口データが、前記生産データに教示されていることを特徴とする請求項１記載の部品実装装置。
【請求項３】
前記生産データにおける前記チップはんだのサイズは、前記マスク厚及び前記開口データに基づいて決定されていることを特徴とする請求項１または２に記載の部品実装装置。
【請求項４】
前記部品供給手段を複数備え、異なるサイズのチップはんだを供給することができることを特徴とする請求項１から３のいずれかに記載の部品実装装置。
【請求項５】
前記電子部品を供給する部品供給手段を更に備えることを特徴とする請求項１から４のいずれかに記載の部品実装装置。
【請求項６】
部品端子毎にチップはんだのサイズが教示された生産データに基づいて、実装部が部品供給手段から供給されるチップはんだを基板に搭載するチップはんだ搭載工程と、
前記基板に電子部品を搭載する部品搭載工程とを含む部品実装方法。
【請求項７】
印刷機による印刷に使用されるマスクのマスク厚及び開口データが、前記生産データに教示されていることを特徴とする請求項６記載の部品実装方法。
【請求項８】
前記生産データにおける前記チップはんだのサイズは、前記マスク厚及び前記開口データに基づいて決定されていることを特徴とする請求項６または７に記載の部品実装方法。
【請求項９】
前記チップはんだ搭載工程において、複数の部品供給手段から異なるサイズのチップはんだが供給されることを特徴とする請求項６から８のいずれかに記載の部品実装方法。
【請求項１０】
前記部品搭載工程において、前記電子部品は前記チップはんだを供給する前記部品供給手段とは異なる部品供給手段から供給されることを特徴とする請求項６から９のいずれかに記載の部品実装方法。
【請求項１１】
前記基板にクリームはんだを印刷する印刷機と、前記基板に前記電子部品を搭載する請求項１から５のいずれかに記載の部品実装装置とを備えた部品実装ライン。
【発明の詳細な説明】
【技術分野】
【０００１】
本発明は、部品を基板に実装する部品実装装置および部品実装方法ならびに部品実装ラインに関するものである。
【背景技術】
【０００２】
電子部品（以下「部品」と称す。）を基板に実装する実装基板の製造では、印刷機によりメタルマスクを介して基板の部品接合用の電極（以下「ランド」と称す。）にクリームはんだを転写し、部品実装装置によりこの基板に部品を搭載し、その後リフローによりクリームはんだを溶融して部品端子をランドと接合させる。近年の部品の微細化、部品端子の狭ピッチ化に伴いメタルマスク開口面積が小さくなっており、はんだ抜けの悪化による印刷不良に対応するためメタルマスクが薄膜化されている。
【０００３】
一方、サイズの大きな部品の部品端子をランドと接合させるために必要なはんだ量は、薄膜化されたメタルマスクを介してランドに供給されるクリームはんだだけでは不足することがある。そこで、はんだ量が不足するランドに、チップ状のはんだ（以下「チップはんだ」と称する。）を搭載して不足するはんだ量を補う方法が提案されている（例えば、特許文献１参照）。特許文献１に記載された方法では、部品と同一サイズのチップはんだを複数種類用意し、部品の搭載と同時にいずれかのチップはんだを基板に搭載している。
【先行技術文献】
【特許文献】
【０００４】
【特許文献１】特開平６−２７５９４４号公報
【発明の概要】
【発明が解決しようとする課題】
【０００５】
しかしながら、特許文献１を含む従来技術では、部品実装装置においてチップはんだを基板に搭載する際に、搭載するチップはんだの適切なサイズを指定する具体的な方法については開示されていない。そのため、基板に数百〜数千あるランドに、それぞれ適切なサイズのチップはんだを指定して搭載することが困難であるという問題点があった。
【０００６】
そこで本発明は、適切なサイズのチップはんだを基板に搭載することができる部品実装装置および部品実装方法ならびに部品実装ラインを提供することを目的とする。
【課題を解決するための手段】
【０００７】
本発明の部品実装装置は、基板に電子部品を搭載する実装部と、チップはんだを供給する部品供給手段と、部品端子毎にチップはんだのサイズが教示された生産データに基づいて、前記実装部が前記部品供給手段から供給されるチップはんだを搭載するように制御する制御部とを備えた。
【０００８】
本発明の部品実装方法は、部品端子毎にチップはんだのサイズが教示された生産データに基づいて、実装部が部品供給手段から供給されるチップはんだを基板に搭載するチップはんだ搭載工程と、前記基板に電子部品を搭載する部品搭載工程とを含む。
【０００９】
本発明の部品実装ラインは、前記基板にクリームはんだを印刷する印刷機と、前記基板に前記電子部品を搭載する本発明の部品実装装置とを備えた。
【発明の効果】
【００１０】
本発明によれば、適切なサイズのチップはんだを基板に搭載することができる。
【図面の簡単な説明】
【００１１】
【図１】本発明の一実施の形態の部品実装ラインの構成を示すブロック図
【図２】本発明の一実施の形態の部品実装装置の構成を示す平面図
【図３】本発明の一実施の形態の部品実装ラインにより基板に搭載された部品およびチップはんだを説明する斜視図
【図４】本発明の一実施の形態の部品実装ラインの制御系の構成を示すブロック図
【図５】本発明の一実施の形態の部品実装ラインにおける部品データの構成説明図
【図６】本発明の一実施の形態の部品実装ラインにより基板に搭載される部品の一例を示す説明図
【図７】本発明の一実施の形態の部品実装ラインにおけるチップはんだのサイズと理想はんだ量および理論はんだ量の関係を示す説明図
【図８】本発明の一実施の形態の部品実装ラインにおける実装位置データの構成説明図
【図９】本発明の一実施の形態の部品実装ラインにより部品が搭載された基板の一例を示す説明図
【図１０】本発明の一実施の形態の部品実装ラインによる生産データ作成作業を示すフローチャート
【図１１】本発明の一実施の形態の部品実装ラインにおける生産データの構成説明図
【図１２】本発明の一実施の形態の部品実装ラインにより部品およびチップはんだが搭載された基板の一例を示す説明図
【図１３】本発明の一実施の形態の部品実装ラインによる部品実装作業を示すフローチャート
【発明を実施するための形態】
【００１２】
次に本発明の実施の形態について図面を参照して説明する。以下、基板搬送方向（図２の紙面の左右方向）をＸ方向、Ｘ軸方向と水平面内において直交する方向（図２の紙面の上下方向）をＹ方向と定義する。
【００１３】
まず図１を参照して部品実装ライン１について説明する。図１において部品実装ライン１は、基板に部品を実装して実装基板を製造する機能を有するものである。部品実装ライン１は、複数の部品実装用装置である印刷機Ｍ１、部品実装装置Ｍ２〜Ｍ４の各装置を連結し、各装置を通信ネットワーク２によって接続して全体を管理コンピュータ３によって制御する構成となっている。
【００１４】
印刷機Ｍ１は、基板に形成されたランドにメタルマスクを介してペースト状のクリームはんだをスクリーン印刷により転写する機能を有する。部品実装装置Ｍ２〜Ｍ４は、実装ヘッドによって部品供給部から部品をピックアップし、クリームはんだが転写された基板の実装位置に移送搭載する機能を有する。部品搭載後の基板はリフロー工程に送られ、クリームはんだを融解して基板に搭載された部品の部品端子を基板のランドとはんだ接合させることにより実装基板が製造される。このように、部品実装ライン１は、基板にクリームはんだを印刷する印刷機Ｍ１と、基板に部品（電子部品）を搭載する部品実装装置Ｍ２〜Ｍ４とを備えている。
【００１５】
次に図２を参照して、部品実装装置Ｍ２〜Ｍ４について説明する。部品実装装置Ｍ２〜Ｍ４は同一の構造であるため、ここでは部品実装装置Ｍ２についてのみ言及する。図２において、基台４の中央部には、基板搬送部５がＸ方向に沿って配設されている。基板搬送部５は、上流側から搬入された部品搭載作業の対象となる基板６を搬送し、以下に説明する実装部により部品搭載作業が行われる搭載作業位置に位置決めして保持する機能を備えている。
【００１６】
基板搬送部５のＹ方向に沿った両外側には、実装対象の部品を供給する部品供給部７が配置されている。部品供給部７には、複数のテープフィーダ８が並列に配置されている。テープフィーダ８は、キャリアテープに保持された部品ＤまたはチップはんだＣＳ（図３参照）を実装部による取出し位置までピッチ送りする機能を有している。すなわち、部品実装装置Ｍ２〜Ｍ４は、部品供給手段であるテープフィーダ８を複数備え、異なるサイズのチップはんだＣＳを供給することができ、更に部品Ｄ（電子部品）を供給する異なるテープフィーダ８を備えている。
【００１７】
基台４上面のＸ方向の一方の端部には、Ｙ軸移動テーブル９が配設されている。Ｙ軸移動テーブル９には、２つのＸ軸移動テーブル１０がＹ方向にスライド自在に結合されている。Ｘ軸移動テーブル１０には、それぞれ実装ヘッド１１がＸ方向にスライド自在に装着されている。Ｙ軸移動テーブル９およびＸ軸移動テーブル１０は、実装ヘッド１１を水平面内で移動させるヘッド移動機構を構成する。ヘッド移動機構を駆動することにより、実装ヘッド１１は部品供給部７と基板搬送部５によって搭載作業位置に位置決め保持された基板６との間で移動する。
【００１８】
実装ヘッド１１は、複数の単位保持ヘッド１１ａより成る多連型ヘッドである。単位保持ヘッド１１ａの下端部には吸着ノズルが装着されており、テープフィーダ８の取出し位置に送られた部品ＤまたはチップはんだＣＳを真空吸着して保持し、搭載作業位置に位置決め保持された基板６上の所定の搭載位置に搭載する。このように、ヘッド移動機構および実装ヘッド１１は、基板６に部品Ｄ（電子部品）またはチップはんだＣＳを搭載する実装部１２となる。
【００１９】
各Ｘ軸移動テーブル１０の下面には、それぞれ実装ヘッド１１と一体的に移動する基板認識カメラ１３が装着されている。ヘッド移動機構を駆動して基板認識カメラ１３を基板搬送部５によって位置決め保持された基板６の上方へ移動させることにより、基板認識カメラ１３は基板６を上方から撮像する。部品供給部７と基板搬送部５との間には、部品認識カメラ１４が配設されている。部品供給部７から部品ＤまたはチップはんだＣＳを取り出した実装ヘッド１１が部品認識カメラ１４の上方を所定方向に通過する走査動作を行うことにより、部品認識カメラ１４は実装ヘッド１１に保持された状態の部品ＤまたはチップはんだＣＳを撮像する。
【００２０】
次に図３を参照して、基板６および部品実装ライン１によって基板６に搭載される部品ＤならびにチップはんだＣＳについて説明する。図３において基板６は、ベースとなる絶縁基板６ａの表面に形成された配線層６ｂ（回路パターン）を、絶縁性を有するソルダ―レジスト６ｃで覆った構造をしている。ソルダ―レジスト６ｃには、基板６に形成された回路パターンと部品Ｄの部品端子Ｔが接合される位置にソルダ―レジスト開口部６ｄが形成されており、配線層６ｂが基板６の表面に露出した電極（ランドＥ）が形成されている。
【００２１】
図３において、各ランドＥ（Ｅ１〜Ｅ３）上には、印刷機Ｍ１によりペーストはんだＰＳが転写されている。部品Ｄは、各部品端子Ｔ（Ｔ１〜Ｔ３）がペーストはんだＰＳを介して所定のランドＥ（Ｅ１〜Ｅ３）と接するように、部品実装装置Ｍ２〜Ｍ４によって所定の搭載位置に搭載されている。各ランドＥ（Ｅ１〜Ｅ３）には、転写されたペーストはんだＰＳだけでは不足するはんだ量を補うチップはんだＣＳ（ＣＳ１〜ＣＳ３）が搭載されている。図３に示す例では、大きな部品端子Ｔ１と接合されるランドＥ１には大きなチップはんだＣＳ１が搭載され、小さな部品端子Ｔ２，Ｔ３と接合されるランドＥ２，Ｅ３には小さなチップはんだＣＳ２，ＣＳ３がそれぞれ搭載されている。
【００２２】
次に図４を参照して、部品実装ライン１の制御系の構成について説明する。図４において、管理コンピュータ３は、管理制御部２１、管理記憶部２２、操作・入力部２３、表示部２４を備えており、通信部２５を介して通信ネットワーク２に接続されている。管理制御部２１は、部品実装ライン１を構成する各装置における制御を統括する機能を有している。さらに管理制御部２１は、生産データ作成部２１ａを含んでいる。生産データ作成部２１ａは、後述するように管理記憶部２２に記憶された各種データを演算し、部品実装装置Ｍ２〜Ｍ４における部品ＤおよびチップはんだＣＳの搭載作業で参照される生産データを作成する生産データ作成作業を行う。
【００２３】
管理記憶部２２は、部品実装ライン１によって実行される作業を管理する生産管理データのほか、部品データ２２ａ、実装位置データ２２ｂ、生産データ２２ｃなどを記憶する。部品データ２２ａは、基板６に実装される部品Ｄの形状などのデータである。実装位置データ２２ｂは、基板６に実装される部品Ｄの種類と実装位置のＸＹ座標などのデータである。
【００２４】
生産データ２２ｃは、生産データ作成部２１ａにより作成される部品実装装置Ｍ２〜Ｍ４における搭載作業で参照されるデータである。生産データ２２ｃは、通信部２５と通信ネットワーク２を介して部品実装装置Ｍ２〜Ｍ４に送信され、部品実装装置Ｍ２〜Ｍ４の実装記憶部に記憶される。各種データの詳細については、後で説明する。
【００２５】
操作・入力部２３はキーボードや表示部２４の表示画面に設けられたタッチパネルなどの入力装置であり、操作指示やデータ入力のための操作を行う。表示部２４は液晶パネルなどの表示装置であり、各種データの入力画面などを表示する。
【００２６】
図４において印刷機Ｍ１は、印刷制御部３１、印刷記憶部３２、印刷作業部３３を備えており、通信部３４を介して通信ネットワーク２に接続されている。印刷制御部３１は、印刷記憶部３２に記憶された各種のプログラムやデータ基づいて印刷作業部３３を制御することにより、メタルマスクを介して基板６にクリームはんだＰＳをスクリーン印刷する。
【００２７】
図４において部品実装装置Ｍ２〜Ｍ４は、それぞれ実装制御部４１、実装記憶部４２、基板搬送部５、複数のテープフィーダ８、実装部１２、基板認識カメラ１３、部品認識カメラ１４を備えており、通信部４３を介して通信ネットワーク２に接続されている。実装制御部４１は演算装置であり、実装記憶部４２に記憶された各種のプログラムやデータに基づいて、以下に説明する各部を制御する。実装記憶部４２は、管理コンピュータ３から送信された生産データ２２ｃを生産データ４２ａとして記憶する。生産データ４２ａは、部品ＤおよびチップはんだＣＳを基板６に搭載するためのデータである。
【００２８】
基板搬送部５は実装制御部４１に制御され、基板６を搬送し、搭載作業位置に位置決め保持する。テープフィーダ８は実装制御部４１に制御され、部品ＤまたはチップはんだＣＳを取出し位置に供給する。実装部１２は実装制御部４１に制御され、取出し位置に供給された部品ＤまたはチップはんだＣＳを位置決め保持された基板６の所定の搭載位置に移送搭載する。また実装制御部４１は、基板認識カメラ１３、部品認識カメラ１４による撮像結果を認識処理し、この認識結果に基づいて部品ＤまたはチップはんだＣＳの搭載位置の補正を行う。
【００２９】
次に図５〜９を参照して、管理記憶部２２に記憶される各種データの詳細について説明する。まず図５，６を参照して、部品データ２２ａについて説明する。図５は、図６に示す部品Ｄ（ＡＡ）の部品データ２２ａの構成を示している。部品Ｄ（ＡＡ）の各部品端子Ｔには、端子番号（ＡＡ−１〜６）が付されている。部品データ２２ａには、「ライブラリ名称」欄５１に部品Ｄの種類（ＡＡ）、「外形寸法Ｌ」欄５２に部品Ｄの外形寸法Ｌ（Ｌａ）、「外形寸法Ｗ」欄５３に部品Ｄの外形寸法Ｗ（Ｗａ）、および「全端子数」欄５４に部品端子Ｔの数（６）が記録されている。
【００３０】
部品データ２２ａには、「マスク厚」欄５５に、部品Ｄ（ＡＡ）が搭載される基板６にクリームはんだＰＳをスクリーン印刷する際に使用されるメタルマスクの標準的な厚さであるマスク厚Ｈ（８０）が記録されている。また部品データ２２ａには、「端子番号」欄５６の端子番号（ＡＡ−１〜６）に対応して、「理想はんだ量」欄５７に、部品端子Ｔと接合されるランドＥがデータシートなどで推奨される標準的な形状であった場合に、適正なはんだ接合を形成するために必要な理想的なはんだ量である理想はんだ量ＶＩ（Ａａ１，Ａａ２）が記録されている。この例では、形状が同一の部品端子Ｔには、同一の理想はんだ量ＶＩが指定されている。
【００３１】
さらに部品データ２２ａには部品端子Ｔ毎に、チップはんだＣＳが搭載される搭載位置Ｓ（Ｓａ１〜６）を部品Ｄ（ＡＡ）の中心Ｏから相対的に示す座標として、「部品位置Ｘ」欄５８ａにＸ座標（Ｘａ１〜６）、「部品位置Ｙ」欄５８ｂにＹ座標（Ｙａ１〜６）が記録されている。また部品データ２２ａには、「開口サイズ」欄５８ｃに、ランドＥが標準的な形状であった場合に、ランドＥにクリームはんだＰＳを供給する際に使用されるメタルマスクのマスク開口の標準的な形状から求まるマスク開口サイズＭＳ（Ａｓ１，Ａｓ２）（開口データ）が記録されている。この例では、形状が同一の部品端子Ｔには、同一のマスク開口サイズＭＳが指定されている。
【００３２】
また部品データ２２ａには、「チップはんだサイズ」欄５９に、部品端子Ｔが接合されるランドＥに搭載するチップはんだＣＳのサイズ（種類）が記録されている。チップはんだＣＳのサイズは、理想はんだ量ＶＩおよびマスク開口サイズＭＳとマスク厚Ｈから算出される理論はんだ量ＶＴを基に、次に説明するチップはんだＣＳのサイズ（種類）と理想はんだ量ＶＩおよび理論はんだ量ＶＴとの関係に従って決定される。
【００３３】
ここで図７を参照し、ランドＥに搭載されるチップはんだＣＳのサイズについて説明する。ランドＥが部品端子Ｔとの間で適正なはんだ接合を形成するために必要な理想はんだ量ＶＩは、接合される部品端子Ｔの形状やランドＥの形状などに依存する。この理想はんだ量ＶＩに対して、印刷作業によって各ランドＥに供給されるクリームはんだＰＳのはんだ量が不足すると、正常なはんだ接合が形成されないはんだ不良が発生することがある。このようなはんだ不良を防止するために、印刷作業によって供給されるクリームはんだＰＳで不足するはんだ量を、ランドＥにチップはんだＣＳを搭載することにより補充する。
【００３４】
印刷作業によって各ランドＥに供給されるクリームはんだＰＳの理論的なはんだ量（理論はんだ量ＶＴ）は、メタルマスクのマスク開口サイズＭＳおよびマスク厚Ｈにより算出される。図７に、理想はんだ量ＶＩと理論はんだ量ＶＴの差分ＶＤ（理想はんだ量ＶＩ−理論はんだ量ＶＴ）をＸ軸、追加はんだ量ＶＡをＹ軸とするグラフを示す。理想的な追加はんだ量ＶＡは、差分ＶＤと同一である。すなわち理想的な追加はんだ量ＶＡと差分ＶＤの関係は、傾き１の直線となる（図７中の直線ａ）。
【００３５】
一方、追加するはんだをチップはんだＣＳによって供給する場合、チップはんだＣＳによる追加はんだ量ＶＡと差分ＶＤの関係は階段状となる（図７中の折れ線ｂ）。図７の例では、追加するチップはんだＣＳのサイズは４種類（小さい方から、０４０２，０６０３，１００５，１６０８）で、差分ＶＤを５つの区分Ｒ（Ｒ１〜Ｒ５）に分けている。各区分Ｒ（Ｒ１〜Ｒ５）は、追加するチップはんだＣＳのはんだ量と理想的な追加はんだ量ＶＡとの差（図７における直線ａと折れ線ｂの差）ができるだけ小さくなるように設定される。
【００３６】
各ランドＥに搭載されるチップはんだＣＳの種類は、この区分Ｒ（Ｒ１〜Ｒ５）とチップはんだＣＳのサイズの関係に従って決められる。すなわち、差分ＶＤが一番小さな区分Ｒ１では、追加のチップはんだＣＳは搭載しない。差分ＶＤが次に小さな区分Ｒ２では、一番小さい０４０２のチップはんだＣＳが選択される。同様に、区分Ｒ３では０６０３、区分Ｒ４では１００５、区分Ｒ５では１６０８のチップはんだＣＳが選択される。
【００３７】
次に図８，９を参照して、実装位置データ２２ｂについて説明する。図８は、図９に示す４個の部品Ｄが搭載された基板６の実装位置データ２２ｂの構成を示している。各部品Ｄには、部品番号（ＡＡＡ，ＢＢＢ，ＣＣＣ，ＤＤＤ）が付されている。実装位置データ２２ｂには、「部品ＩＤ」欄６１の部品番号（ＡＡＡ，ＢＢＢ，ＣＣＣ，ＤＤＤ）に対応して、「種類」欄６２に部品Ｄの種類（ＡＡ，ＢＢ，ＣＣ，ＤＤ）、「Ｘ座標」欄６３および「Ｙ座標」欄６４に基板６上の部品Ｄの搭載位置Ｓ（Ｓ１１〜１４）のＸ座標（Ｘ１１〜１４）およびＹ座標（Ｙ１１〜１４）が記録されている。なお、「種類」欄６２の部品Ｄの種類は、図５に示す部品データ２２ａの「ライブラリ名称」欄５１の部品Ｄの種類と紐付けされている。
【００３８】
次に図１０〜１２を参照して、生産データ２２ｃを作成する生産データ作成作業（生産データ作成方法）および作成された生産データ２２ｃの構成について説明する。図１０において、まず生産データ作成部２１ａは、実装位置データ２２ｂと部品Ｄの種類（ＡＡ，ＢＢ）で紐付けされる部品データ２２ａを基に、部品端子Ｔ毎にチップはんだＣＳの基板６上の搭載位置Ｓを算出する（ＳＴ１：チップはんだ搭載位置算出工程）。
【００３９】
具体的には、生産データ作成部２１ａは、実装位置データ２２ｂに含まれる部品Ｄ（ＡＡＡ，ＢＢＢ，ＣＣＣ，ＤＤＤ）の基板６上の搭載位置Ｓ（部品Ｄの中心Ｏの基板６上でのＸＹ座標）と部品データ２２ａの端子番号（ＡＡ−１〜６）に対応するチップはんだＣＳの部品Ｄの中心Ｏからの相対的なＸＹ座標から、チップはんだＣＳの基板６上の搭載位置Ｓを算出する。この際、各チップはんだＣＳにはチップはんだ番号（ＡＡＡ―１〜６，ＢＢＢ―１〜６）が付与される。
【００４０】
次いで生産データ作成部２１ａは、「チップはんだ搭載位置算出工程」（ＳＴ１）において算出されたチップはんだＣＳの基板６上の搭載位置Ｓに対応させて、部品データ２２ａに含まれるチップはんだＣＳのサイズ（種類）を抽出する（ＳＴ２：サイズ抽出工程）。次いで生産データ作成部２１ａは、基板６に搭載するチップはんだＣＳのサイズ（種類）と搭載位置Ｓおよび部品Ｄの種類と搭載位置Ｓが教示された生産データ２２ｃを作成し、管理記憶部２２に記憶させるとともに、部品実装装置Ｍ２〜Ｍ４に送信し（ＳＴ３：生産データ記憶工程）、生産データ作成作業を終了する。
【００４１】
生産データ作成部２１ａは「生産データ記憶工程」（ＳＴ３）において、以下のように生産データ２２ｃを作成する。すなわち生産データ作成部２１ａは、「部品ＩＤ」欄８１に「チップはんだ搭載位置算出工程」（ＳＴ１）において付与されたチップはんだ番号をして記録し、「種類」欄８２に「サイズ抽出工程」（ＳＴ２）において抽出したチップはんだＣＳの種類をチップはんだ番号に対応させて記録する。
【００４２】
生産データ作成部２１ａは、「Ｘ座標」欄８３に「チップはんだ搭載位置算出工程」（ＳＴ１）において算出された搭載位置ＳのＸ座標を、「Ｙ座標」欄８４にＹ座標を記録する。このように生産データ２２ｃには、部品端子Ｔ毎に搭載するチップはんだＣＳのサイズが教示される。
【００４３】
さらに生産データ作成部２１ａは、「部品ＩＤ」欄８１に実装位置データ２２ｂの「ＩＤ」欄６１の部品番号を紐付けして記録し、「種類」欄８２に実装位置データ２２ｂの「種類」欄６２の部品Ｄの種類を記録する。また生産データ作成部２１ａは、「Ｘ座標」欄８３に実装位置データ２２ｂの「Ｘ座標」欄６３のＸ座標を、「Ｙ座標」欄８４に実装位置データ２２ｂの「Ｙ座標」欄６４のＹ座標を記録する。
【００４４】
上記のように、生産データ２２ｃには、部品データ２２ａに示される印刷機Ｍ１により印刷に使用されるメタルマスク（マスク）のマスク厚Ｈ及びマスク開口サイズＭＳ（開口データ）が対応付けされて教示されている。そして、生産データ２２ｃにおけるチップはんだＣＳのサイズは、マスク厚Ｈ及びマスク開口サイズＭＳに基づいて決定されている。これによって、各ランドＥに搭載する適切なサイズのチップはんだＣＳを選択することができる。
【００４５】
図１１，１２において、生産データ作成部２１ａによって算出されたチップはんだＣＳの搭載位置Ｓ（ＳＡ１〜６，ＳＢ１〜６）のＸＹ座標は、Ｘ座標（Ｘ１１＿１〜６，Ｘ１２＿１〜６）、Ｙ座標（Ｙ１１＿１〜６，Ｙ１２＿１〜６）で示されている。また、この例では小さな部品Ｄ（ＣＣＣ）および部品Ｄ（ＤＤＤ）のランドＥの差分ＶＤは区分Ｒ１に入るため、これらのランドＥにはチップはんだＣＳは搭載されない。
【００４６】
次に図１３を参照して、本実施の形態の部品実装ライン１による部品搭載作業（部品実装方法）について説明する。まず管理コンピュータ３の生産データ作成部２１ａは前述の生産データ作成作業を実行して生産データ２２ｃを作成し、部品実装装置Ｍ２〜４の実装制御部４１は生産データ２２ｃを受信して実装記憶部４２に生産データ４２ａとして記憶する（ＳＴ１１：生産データ作成工程）。次いで実装制御部４１は基板搬送部５を制御して、部品搭載作業の対象となる印刷機Ｍ１においてクリームはんだＰＳがスクリーン印刷された基板６を搭載作業位置に搬入し、位置決め保持する（ＳＴ１２）。
【００４７】
次いで実装制御部４１は生産データ４２ａを基に実装部１２とテープフィーダ８を制御して、基板６に所定のサイズのチップはんだＣＳを搭載する（ＳＴ１３：チップはんだ搭載工程）。すなわち「チップはんだ搭載工程」（ＳＴ１３）において、実装制御部４１（制御部）は、部品端子Ｔ毎にチップはんだＣＳのサイズが教示された生産データ４２ａに基づいて、実装部１２がテープフィーダ８（部品供給手段）から供給されるチップはんだＣＳを基板６に搭載するように制御する。
【００４８】
次いで実装制御部４１は生産データ４２ａを基に実装部１２とテープフィーダ８を制御して、基板６に部品Ｄ（電子部品）を搭載する（ＳＴ１４：部品搭載工程）。この際、部品ＤはチップはんだＣＳを供給するテープフィーダ８とは異なるテープフィーダ８から供給される。なお、「チップはんだ搭載工程」（ＳＴ１３）と「部品搭載工程」（ＳＴ１４）は逆の順番で実行しても良い。すなわち基板６には、部品Ｄを搭載した後にチップはんだＣＳを搭載しても良い。
【００４９】
次いで実装制御部４１は基板搬送部５を制御して、チップはんだＣＳおよび部品Ｄが搭載済みの基板６を下流の部品実装装置Ｍ３，Ｍ４または部品実装ライン１の外に搬出する（ＳＴ１５）。次いで実装制御部４１は、所定の枚数の搭載済み基板６が生産されたかを判断し（ＳＴ１６）、生産する部品搭載対象の基板６が残っている場合（ＳＴ１６においてＮｏ）は、ＳＴ１２に戻って次の部品搭載作業の対象となる基板６に対してチップはんだＣＳおよび部品Ｄの搭載を行う。実装制御部４１は、全ての基板６への部品搭載が終わった場合（ＳＴ１６においてＹｅｓ）、部品搭載作業を終了する。
【００５０】
上記説明したように本実施の形態では、部品端子Ｔ毎にチップはんだＣＳのサイズが教示された生産データ４２ａに基づいて、実装部１２がテープフィーダ８（部品供給手段）から供給されるチップはんだＣＳを基板６に搭載している。これによって、印刷機Ｍ１によってランドＥに供給されるクリームはんだＰＳが理想的なはんだ量から不足する場合に、適切なサイズのチップはんだＣＳを基板６に搭載することができる。
【００５１】
なお上記では、管理コンピュータ３において生産データ２２ｃを作成し、部品実装装置Ｍ２〜Ｍ４に送信して実装記憶部４２に生産データ４２ａとして記憶する実施例について説明したが、生産データ４２ａの作成および記憶方法は上記の実施例に限定されることはない。すなわち、部品実装装置Ｍ２〜Ｍ４の実装制御部４１によって生産データ４２ａを作成して実装記憶部４２に記憶させてもよい。また生産データ４２ａを作成する際に参照される各種データを管理コンピュータ３の管理記憶部２２に記憶させているが、この各種データは部品実装装置Ｍ２〜Ｍ４の実装記憶部４２に記憶させてもよい。
【００５２】
また上記では、チップはんだＣＳと部品Ｄを同じ部品実装装置Ｍ２が備える異なるテープフィーダ８から供給して基板６に搭載する実施例について説明したが、チップはんだＣＳと部品Ｄを別々の部品実装装置Ｍ２〜４によって基板６に搭載してもよい。例えば、チップはんだＣＳは部品実装装置Ｍ２が備えるテープフィーダ８から供給して基板６に搭載し、その基板６を部品実装装置Ｍ３に搬送してから部品Ｄを部品実装装置Ｍ３が備えるテープフィーダ８から供給して基板６に搭載してもよい。
【産業上の利用可能性】
【００５３】
本発明の部品実装装置および部品実装方法ならびに部品実装ラインは、適切なサイズのチップはんだを基板に搭載することができるという効果を有し、部品を基板に実装する部品実装分野において有用である。
【符号の説明】
【００５４】
１  部品実装ライン
６  基板
８  テープフィーダ（部品供給手段）
１２  実装部
４１  実装制御部（制御部）
２２ｃ，４２ａ  生産データ
ＣＳ  チップはんだ
Ｄ  部品（電子部品）
Ｍ１  印刷機
Ｍ２〜Ｍ４  部品実装装置
ＰＳ  クリームはんだ
Ｔ  部品端子
【図１】
2016149384.tif 000003
【図２】
2016149384.tif 000004
【図３】
2016149384.tif 000005
【図４】
2016149384.tif 000006
【図５】
2016149384.tif 000007
【図６】
2016149384.tif 000008
【図７】
2016149384.tif 000009
【図８】
2016149384.tif 000010
【図９】
2016149384.tif 000011
【図１０】
2016149384.tif 000012
【図１１】
2016149384.tif 000013
【図１２】
2016149384.tif 000014
【図１３】
2016149384.tif 000015